(57)【要約】【課題】  所定の物体と被判定体との関係を高い信頼性で判定できるデータ処理方法を提供する。【解決手段】  特徴データ生成部１２が、撮像装置１０の撮像結果を基に、撮像装置１０の撮像素子の受光感度の固有のバラツキに応じた特徴データＰＤを検出し、これを判定装置１５に送信する。判定装置１５は、当該特徴データＰＤと被判定画像データＳ１４との相関を検出し、その結果を基に、被判定画像データＳ１４が撮像装置１０で撮像されたか否かを判定する。【選択図】  図１
2005202764.tif 000002
【特許請求の範囲】
【請求項１】
所定の物体と被判定体との関係を判定するデータ処理装置が行うデータ処理方法であって、
前記物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する第１の工程と、
前記第１の工程で生成した前記特徴データと、前記被判定体の前記固有の特徴を示す被判定データとの相関を基に、前記被判定体と前記物体との関係を判定する第２の工程と
を有するデータ処理方法。
【請求項２】
前記第２の工程は、前記被判定体が前記物体を基に得られたものであるか否か、あるいは、前記被判定体が前記物体であるか否かを判定する
請求項１に記載のデータ処理方法。
【請求項３】
前記物体は、撮像装置であり、
前記特徴データは、前記撮像装置が備える複数の受光素子にその製造工程で生じる受光感度の固有のバラツキに応じて、前記受光素子の受光結果を基に得られる画像データに生じる固有の特徴を示し、
前記被判定データは、画像データである
請求項１に記載のデータ処理方法。
【請求項４】
所定の物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する生成手段と、
前記生成手段が生成した前記特徴データを出力する出力手段と
を有するデータ処理装置。
【請求項５】
前記出力手段は、前記特徴データを所定の記録媒体に書き込む
請求項４に記載のデータ処理装置。
【請求項６】
所定の物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データと、被判定体の前記固有の特徴を示す被判定データとの相関を基に、前記被判定体と前記物体との関係を判定する判定手段
を有するデータ処理装置。
【請求項７】
所定の物体と被判定体との関係を判定するデータ処理装置であって、
前記物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する生成手段と、
前記生成手段が生成した前記特徴データと、前記被判定体の前記固有の特徴を示す被判定データとの相関を基に、前記被判定体と前記物体との関係を判定する判定手段と
を有するデータ処理装置。
【請求項８】
製造工程で生じる受光感度の固有のバラツキを持つ複数の受光素子を備えた撮像装置が生成した画像データから、前記固有のバラツキに応じた前記撮像装置に固有の特徴を示す特徴データを第１のデータ処理装置が生成する第１の工程と、
前記第１の工程で生成した前記特徴データを前記撮像装置内のメモリまたは所定のメモリに前記第１のデータ処理装置が書き込む第２の工程と、
前記第２の工程で前記メモリに書き込まれた前記特徴データを第２のデータ処理装置が前記メモリから読み出して第３のデータ処理装置に送信する第３の工程と、
前記第３のデータ処理装置が、前記第３の工程で受信した前記特徴データと被判定画像データとの相関を基に、前記被判定画像データが前記撮像装置を用いて得られたものであるか否かを判定する第４の工程と
を有するデータ処理方法。
【請求項９】
前記第２の工程は、前記第１のデータ処理装置が前記特徴データを暗号化して前記メモリに書き込み、
前記第４の工程は、前記第３のデータ処理装置が、前記第３の工程で受信した前記特徴データを復号する
請求項８に記載のデータ処理方法。
【請求項１０】
製造工程で生じる受光感度の固有のバラツキを持つ複数の受光素子を備えた撮像装置であって、
前記複数の受光素子の受光感度の前記固有のバラツキに応じた特徴を示す特徴データを記憶する記憶手段と、
前記記憶手段から読み出した前記特徴データを出力する出力手段と
を有する撮像装置。
【請求項１１】
ユーザの正当権限を認証する認証手段
をさらに有し、
前記出力手段は、前記認証手段が前記ユーザが正当権限を有すると認証したことを条件に、前記記憶手段から前記特徴データを読み出す
請求項１０に記載の撮像装置。
【発明の詳細な説明】
【技術分野】
【０００１】
本発明は、固有の特性を持つ物体と被判定体との関係を判定するために用いられるデータ処理方法およびその装置と撮像装置に関する。
【背景技術】
【０００２】
例えば、デジタル方式のカメラで撮像したデジタル形式の画像データが、当該画像データの著作権者の許諾を受けずに、第三者によって不正に使用されることがある。
このような不正使用を防止するために、画像データに対して、当該画像データを生成したカメラを特定する情報を、電子透かし情報や、画像ファイルのヘッダとして付加し、これらの情報を基に画像データが何れのカメラで撮像されたか、あるいは何れのカメラで撮像された画像データを基に生成去されたか判定する方法がある。
【発明の開示】
【発明が解決しようとする課題】
【０００３】
しかしながら、上述した画像データに電子透かし情報を付加する方法では、電子透かしの埋め込み方式を統一できないため、電子透かし情報を検出できない場合があるという問題がある。
また、上述した画像ファイルのヘッダとして付加する方法では、ヘッダの書き換えにより、カメラを特定する情報が容易に改竄されてしまうという問題がある。
また、上述したカメラ以外にも、映画などのフィルムの海賊版を特定した場合に、その海賊版が何れのフィルムを基に製造されたかを高い信頼性で特定したいという要請もある。
また、証明書などが偽造物でないか否かを高い信頼性で特定したいという要請もある。
【０００４】
本発明は上述した従来技術の問題点に鑑みてなされ、所定の物体と被判定体との関係を高い信頼性で判定できるデータ処理方法およびその装置を提供することを目的とする。
また、本発明は、画像データを生成した撮像装置を高い信頼性で特定することを可能にする撮像装置およびデータ処理方法を提供することを目的とする。
【課題を解決するための手段】
【０００５】
上述した従来技術の問題を解決し、上述した目的を達成するために、第１の発明のデータ処理方法は、所定の物体と被判定体との関係を判定するデータ処理装置が行うデータ処理方法であって、前記物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する第１の工程と、前記第１の工程で生成した前記特徴データと、前記被判定体の前記固有の特徴を示す被判定データとの相関を基に、前記被判定体と前記物体との関係を判定する第２の工程とを有する。
【０００６】
第１の発明のデータ処理方法の作用は以下のようになる。
先ず、第１の工程において、物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する。
次に、第２の工程において、前記第１の工程で生成した前記特徴データと、前記被判定体の前記固有の特徴を示す被判定データとの相関を基に、前記被判定体と前記物体との関係を判定する。
【０００７】
第２の発明のデータ処理装置は、物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する生成手段と、前記生成手段が生成した前記特徴データを出力する出力手段とを有する。
【０００８】
第２の発明のデータ処理装置の作用は以下のようになる。
先ず、生成手段が、物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する。
次に、出力手段が、前記生成手段が生成した前記特徴データを出力する。
【０００９】
第３の発明のデータ処理装置は、物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データと、被判定体の前記固有の特徴を示す被判定データとの相関を基に、前記被判定体と前記物体との関係を判定する判定手段を有する。
【００１０】
第４の発明のデータ処理装置は、所定の物体と被判定体との関係を判定するデータ処理装置であって、前記物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する生成手段と、前記生成手段が生成した前記特徴データと、前記被判定体の前記固有の特徴を示す被判定データとの相関を基に、前記被判定体と前記物体との関係を判定する判定手段とを有する。
【００１１】
第４の発明のデータ処理装置の作用は以下のようになる。
先ず、生成手段が、物体の製造工程および前記物体の材料の少なくとも一方の特性の固有のバラツキに起因した固有の特徴を持つ前記物体、あるいは当該物体から得られ前記固有の特徴を示すデータを基に、前記物体の固有の特徴を示す特徴データを生成する。
次に、判定手段が、前記生成手段が生成した前記特徴データと、前記被判定体の前記固有の特徴を示す被判定データとの相関を基に、前記被判定体と前記物体との関係を判定する。
【００１２】
第５の発明のデータ処理方法は、製造工程で生じる受光感度の固有のバラツキを持つ複数の受光素子を備えた撮像装置が生成した画像データから、前記固有のバラツキに応じた前記撮像装置に固有の特徴を示す特徴データを第１のデータ処理装置が生成する第１の工程と、前記第１の工程で生成した前記特徴データを前記撮像装置内のメモリに前記第１のデータ処理装置が書き込む第２の工程と、前記第２の工程で前記メモリに書き込まれた前記特徴データを第２のデータ処理装置が前記メモリから読み出して第３のデータ処理装置に送信する第３の工程と、前記第３のデータ処理装置が、前記第３の工程で受信した前記特徴データと被判定画像データとの相関を基に、前記被判定画像データが前記撮像装置を用いて得られたものであるか否かを判定する第４の工程とを有する。
【００１３】
第５の発明のデータ処理方法の作用は以下のようになる。
先ず、第１の工程において、製造工程で生じる受光感度の固有のバラツキを持つ複数の受光素子を備えた撮像装置が生成した画像データから、前記固有のバラツキに応じた前記撮像装置に固有の特徴を示す特徴データを第１のデータ処理装置が生成する。
次に、第２の工程において、前記第１の工程で生成した前記特徴データを前記撮像装置内のメモリに前記第１のデータ処理装置が書き込む。
次に、第３の工程において、前記第２の工程で前記メモリに書き込まれた前記特徴データを第２のデータ処理装置が前記メモリから読み出して第３のデータ処理装置に送信する。
次に、第４の工程において、前記第３のデータ処理装置が、前記第３の工程で受信した前記特徴データと被判定画像データとの相関を基に、前記被判定画像データが前記撮像装置を用いて得られたものであるか否かを判定する。
【００１４】
第６の発明の撮像装置は、製造工程で生じる受光感度の固有のバラツキを持つ複数の撮像素子を備えた撮像装置であって、前記複数の撮像素子の受光感度の前記固有のバラツキに応じた特徴を示す特徴データを記憶する記憶手段と、前記記憶手段から読み出した前記特徴データを出力する出力手段とを有する。
【発明の効果】
【００１５】
以上説明したように、本発明によれば、画像データを生成した撮像装置を高い信頼性で特定することを可能にする撮像装置およびデータ処理方法を提供することができる。
【発明を実施するための最良の形態】
【００１６】
以下、本発明の実施形態に係わる撮像装置について説明する。
本実施形態の撮像装置は、例えば、デジタルスチルカメラやデジタルビデオカメラなどの受光感度に固有のバラツキがある複数の受光素子の受光結果を基に画像データを生成する。
本実施形態では、このような撮像装置を用いて生成された画像データがネットワークや記録媒体を介して配付される環境において、所定の被判定画像データが、所定の撮像装置で撮像されたものであるか否かを判定する場合に有用である。
すなわち、上記撮像装置で生成された画像データには、上述した複数の受光素子の受光感度に応じた固有のバラツキが特徴データとして含まれる。
そのため、予め登録した上記撮像装置の上記特徴データと、上記被判定画像データとの相関を検出することで、上記被判定画像データが上記撮像装置で生成されたものであるか否かを判別できる。
【００１７】
第１実施形態
本実施形態は、第１〜第３の発明に対応した実施形態である。
図１は、本発明の第１実施形態に係わるデータ処理システム１の構成図である。
図１に示すように、データ処理システム１は、例えば、撮像装置１０、データ処理装置１１および判定装置１５を有する。
撮像装置１０およびデータ処理装置１１は、ユーザ２が使用する。
判定装置１５は、画像データの判定サービスを行うサービス提供者３が使用する。
【００１８】
図１において、撮像装置１０が第１〜第３の発明の所定の物体に対応している。
また、特徴データＰＤが第１〜第３の発明の特徴データに対応している。
また、被判定画像データＳ１４が第１〜第３の発明の「物体から得られる固有の特徴を示す被判定データに対応し、被判定画像データＳ１４を生成した撮像装置（図示せず）が、第１〜第３の発明の被判定体に対応している。
また、特徴データ生成部１２が第２の発明の生成手段に対応し、送信部１３が第２の発明の出力手段に対応している。
また、判定装置１５が第３の発明の判定手段に対応している。
【００１９】
〔撮像装置１０〕
撮像装置１０は、被写体からの光を、２次元的にマトリクス状に配設された複数の受光素子に入射して結像し、当該結像の結果を基に、画像データＳ１０を生成する。
ここで、上記受光素子は、例えば、図２に示すように、ＣＣＤ(Charge Coupled Device) 撮像素子の画素を構成する受光素子２１であり、受光感度に製造上の固有のばらつきがある。当該ばらつきは、人為的に再現困難なものである。
図２は、図１に示す撮像部３の受光素子２１の断面を模式的に示す図である。
図２に示すように、受光素子２１は、シリコン基板２２、開口部２３が設けられた遮光層２４、並びに集光レンズ２５を有する。
シリコン基板２２には、開口部２３と対向する位置に光電変換領域が形成されている。また、集光レンズ２５は、遮光層１４に対してシリコン基板２２と反対側の位置から、遮光層２４を介してシリコン基板２２に達するように形成されている。
【００２０】
開口部２３は、例えば、紫外線の露光によってエッチングのマスクになるレジストに微細加工を施した後、遮光層２４とその下部の絶縁層２６をエッチングによって除去して形成される。
集光レンズ２５は、ガラス層にフォトリソグラフィーにより微細加工を施した後、高温でガラス層を融解し球状に形成される。
上述した受光素子２１の製造過程で、開口部２３は、なるべく均一な形状が形成されるように制御されるが、様々な要因により形状にはばらつきが生じる。このため、複数の受光素子の各々の開口部２３の形状にはばらつきがある。
ここで、各受光素子の開口部２３の形状のばらつきによって、受光素子に入射する光（光束）の形状がばらつき、シリコン基板２２の光電変換領域に入射する光量がばらつく。従って、各受光素子によって、受光感度のばらつきが生じる。
このような受光感度のばらつきは、人為的なものではなく、しかも、指紋のようにそれぞれの撮像素子に固有のものである。また、このような受光素子の受光感度のばらつきの影響が、上記撮像素子を用いたカメラによって生成される画像データＳ１０に特徴データとして生じる。
画像データＳ１０は、図３に示すように、画像成分が低周波成分として生じ、ノイズ成分および特徴データ成分が低周波および高周波の双方に生じる。
本実施形態では、撮像装置１によって生成された画像データＳ１０に生じる、撮像素子の受光感度の製造上の固有のばらつきによる特徴データを利用して、被判定画像データが、撮像装置１０で撮像されたか、あるいは撮像装置１０で撮像された画像データを基に生成されたか否かを判定する。
【００２１】
〔データ処理装置１１〕
図１に示すように、データ処理装置１１は、例えば、特徴データ生成部１２および送信部１３を有する。
特徴データ生成部１２は、撮像装置１０から入力した画像データＳ１０から特徴データＰＤを抽出し、これを送信部１３に出力する。
特徴データ生成部１２は、例えば、図３に示すしきい値ＴＨ以下に周波数成分を除去し、しきい値ＴＨを超える周波数成分を透過するハイパスフィルタであり、画像データＳ１０からしきい値ＴＨ以下の周波数成分に生じる画像成分を除去して特徴データＰＤを生成する。
【００２２】
送信部１３は、特徴データ生成部１２から入力した特徴データＰＤを、例えば、ネットワークを介して判定装置１５に送信する。
なお、特徴データＰＤを所定の記録媒体を介してサービス提供者３に提供し、サービス提供者３が記録媒体から読み出した特徴データＰＤを判定装置１５に入力してもよい。
【００２３】
〔判定装置１５〕
判定装置１５は、送信部１３から受信した特徴データＰＤと、所定の被判定画像データＳ１４との相関を検出し、当該相関が所定レベルを超えた場合に被判定画像データＳ１４が撮像装置１０の撮像結果を基に得られたものであると判定する。
一方、判定装置１５は、当該相関が上記所定レベル以下の場合に被判定画像データＳ１４が撮像装置１０の撮像結果を基に得られたものではないと判定する。
【００２４】
以下、図１に示すデータ処理システム１の動作例を説明する。
図４は、図１に示すデータ処理システム１の動作例を説明するためのフローチャートである。
ステップＳＴ１：
ユーザ２が撮像装置１０を用いて所定の被写体を撮像する。
これにより、撮像部１０は、被写体からの光をレンズ２５を介して、２次元的にマトリクス状に配設された複数の受光素子に入射して結像し、結像結果に応じた画像データＳ１０を生成する。
ステップＳＴ２：
撮像装置１０が、ステップＳＴ１で生成した画像データＳ１０をデータ処理装置１１に出力する。
データ処理装置１１の特徴データ生成部１２が、撮像装置１０から入力した画像データＳ１０から特徴データＰＤを生成（抽出）し、これを送信部１３に出力する。
ステップＳＴ３：
送信部１３が判定装置１５に特徴データＰＤを送信する。
【００２５】
ステップＳＴ４：
判定装置１５は、送信部１３から受信した特徴データＰＤと、所定の被判定画像データＳ１４との相関を検出する。
ステップＳＴ５：
判定装置１５は、ステップＳＴ４で検出した相関が所定のレベルを超えたか否かを判断し、所定のレベルを超えたと判断するとステップＳＴ６に進み、そうでない場合にはステップＳＴ７に進む。
ステップＳＴ６：
判定装置１５は、被判定画像データＳ１４が撮像装置１０の撮像結果を基に生成されたと判定する。
ステップＳＴ７：
判定装置１５は、被判定画像データＳ１４が撮像装置１０の撮像結果を基に生成されていないと判定する。
【００２６】
以上説明したように、データ処理システム１によれば、特徴データＰＤと被判定画像データＳ１４との相関を基に判定を行うため、被判定画像データＳ１４が撮像装置１０の撮像結果を基に生成されたか否かを高い信頼性で判定できる。
すなわち、データ処理システム１によれば、画像データＳ１４に付加された電子透かし情報やそのヘッダに付加された改竄される可能性のある情報を基に判定を行うのではなく、撮像装置１０で生成した画像データ内に存在し人為的に改竄できない特徴データＰＤを基に判定を行うため、上記判定の信頼性を高めることができる。
【００２７】
第２実施形態
本実施形態は、第４の発明に対応した実施形態である。
図５は、本発明の第２実施形態に係わるデータ処理システム３１の構成図である。
図５に示すように、データ処理システム３１は、例えば、撮像装置１０およびデータ処理装置３２を有する。
図５に示すデータ処理装置３２が第４の発明のデータ処理装置に対応している。
データ処理装置３２は、特徴データ生成部１２および判定部３５を有する。
図５において、図１と同じ符号を付した撮像装置１０、特徴データ生成部１２は第１実施形態で説明したものと構成および作用は同じである。
撮像装置１０は、ユーザ２が使用する。
データ処理装置３２は、サービス提供者３が使用する。
【００２８】
データ処理システム３１では、ユーザ２が撮像装置１０をサービス提供者３に提供し、サービス提供者３がデータ処理装置３２を用いて撮像装置１０の特徴データＰＤの生成、並びに被判定画像データＳ１４の判定を行う。
【００２９】
以下、図５に示すデータ処理システム３１の動作例を説明する。
図６は、図５に示すデータ処理システム３１の動作例を説明するためのフローチャートである。
ステップＳＴ１１：
ユーザ２が撮像装置１０をサービス提供者３に提供する。
ステップＳＴ１２：
サービス提供者３が、撮像装置１０を用いて被写体を撮像する。
これにより、撮像装置１０は、被写体からの光をレンズ２５を介して、２次元的にマトリクス状に配設された複数の受光素子に入射して結像し、結像結果に応じた画像データＳ１０を生成する。
ステップＳＴ１３：
撮像装置１０が、ステップＳＴ１２で生成した画像データＳ１０をデータ処理装置３２に出力する。
データ処理装置３２の特徴データ生成部１２が、撮像装置１０から入力した画像データＳ１０から特徴データＰＤを生成（抽出）し、これを判定部３５に出力する。
【００３０】
ステップＳＴ１４：
判定部３５は、特徴データ生成部１２から入力した特徴データＰＤと、所定の被判定画像データＳ１４との相関を検出する。
ステップＳＴ１５：
判定部３５は、ステップＳＴ１４で検出した相関が所定のレベル超えたか否かを判断し、所定のレベルを超えたと判断するとステップＳＴ１６に進み、そうでない場合にはステップＳＴ１７に進む。
ステップＳＴ１６：
判定部３５は、被判定画像データＳ１４が撮像装置１０の撮像結果を基に生成されたと判定する。
ステップＳＴ１７：
判定部３５は、被判定画像データＳ１４が撮像装置１０の撮像結果を基に生成されていないと判定する。
【００３１】
以上説明したように、データ処理システム３１によっても、第１実施形態と同様の効果が得られる。
【００３２】
第３実施形態
本実施形態は、第５および第６の発明に対応した実施形態である。
図７は、本発明の第３実施形態に係わるデータ処理システム４１の構成図である。
図７に示すように、データ処理システム４１は、例えば、撮像装置１０ａ、データ処理装置４２、データ処理装置４５および判定装置１５を有する。
撮像装置１０ａおよびデータ処理装置４２は、撮像装置１０ａの製造者４が使用する。
判定装置１５は、画像データの判定サービスを行うサービス提供者３が使用する。
撮像装置１０ａおよびデータ処理装置４５はユーザ２が使用する。
【００３３】
ここで、データ処理装置４２が第５の発明の第１のデータ処理装置に対応し、データ処理装置４５が第５の発明の第２のデータ処理装置に対応し、判定装置１５が第５の発明の第３のデータ処理装置に対応している。
また、撮像装置１０ａが第５の発明の撮像装置、または第６の発明の撮像装置に対応している。
【００３４】
図７において、図１と同じ符号を付した特徴データ生成部１２および判定装置１５は第１実施形態で説明したものと同じである。
〔撮像装置１０ａ〕
図８は、図７に示す撮像装置１０ａの構成図である。
図８に示すように、撮像装置１０ａは、例えば、レンズ５２、撮像部５３、画像データ生成部５４、出力制御部５６、メモリ５７、認証部５８およびインタフェース５９を有する。
【００３５】
撮像部５３は、レンズ５２を介して被写体からの光を、第１実施形態で説明した２次元的にマトリクス状に配設された複数の受光素子２１に入射して結像し、当該結像の結果を画像データ生成部５４に出力する。
画像データ生成部５４は、撮像部５３の撮像結果に応じた画像データＳ１０を生成し、これを出力制御部５６に出力する。
出力制御部５６は、画像データ生成部５４から入力した画像データＳ１０をインタフェース５９を介して撮像装置１０ａの外部に出力する。
また、出力制御部５６は、インタフェース５９を介して入力した、撮像装置１０ａの特徴データＰＤをメモリ５７に書き込む。
また、出力制御部５６は、認証部５８から入力した認証データＳ５８がユーザが正当権限を有することを示す場合に、メモリ５７から特徴データＰＤを読み出してインタフェース５９を介して出力する。
【００３６】
認証部５８は、ユーザが入力したパスワードの照合、並びにユーザの生体情報の照合などにより、ユーザの正当権限を認証し、その結果を示す認証データＳ５８を出力制御部５６に出力する。
【００３７】
以下、図７に示すデータ処理システム４１の動作例を説明する。
図９は、図７に示すデータ処理システム４１の動作例を説明するためのフローチャートである。
ステップＳＴ２１：
撮像装置１０ａの製造者４が、撮像装置１０ａの撮像結果に応じた画像データＳ１０をデータ処理装置４２に入力する。
そして、データ処理装置４２の特徴データ生成部１２は、画像データＳ１０から特徴データＰＤを生成し、これを書き込み部４３に出力する。
ステップＳＴ２２：
書き込み部４３は、ステップＳＴ２１で入力した特徴データＰＤを、図８に示す撮像装置１０ａのメモリ５７に書き込む。
【００３８】
ステップＳＴ２３：
ユーザ２が、撮像装置１０ａを購入する。
ステップＳＴ２４：
ユーザ２が、撮像装置１０ａに所定のパスワードを入力し、これにより、認証部５８がユーザに正当権限があると認証する。
そして、データ処理装置４５の読み出し部４６が、撮像装置１０ａのメモリ５７から特徴データＰＤを読み出して送信部４７に出力する。
送信部４７は、特徴データＰＤを判定装置１５に送信する。
【００３９】
ステップＳＴ２５：
判定装置１５は、ステップＳＴ２４で受信した特徴データＰＤと、所定の被判定画像データＳ１４との相関を検出する。
ステップＳＴ２６：
判定装置１５は、ステップＳＴ２５で検出した相関が所定のレベル超えたか否かを判断し、所定のレベルを超えたと判断するとステップＳＴ２７に進み、そうでない場合にはステップＳＴ２８に進む。
ステップＳＴ２７：
判定装置１５は、被判定画像データＳ１４が撮像装置１０ａの撮像結果を基に生成されたと判定する。
ステップＳＴ２８：
判定装置１５は、被判定画像データＳ１４が撮像装置１０ａの撮像結果を基に生成されていないと判定する。
【００４０】
以上説明したように、データ処理システム４１によっても、第１実施形態と同様の効果が得られる。
本実施形態によれば、データ処理装置４５において、ユーザ２が正当権限を有することが認証された場合にのみ特徴データＰＤの送信を許可するので、ユーザ２以外のユーザによって特徴データＰＤが不正に利用されることを回避できる。
なお、図７において、書き込み部４２は、撮像装置１０ではなく、撮像装置１０と一緒に販売される携帯型の半導体記憶装置などの記録媒体に特徴データＰＤを書き込んでもよい。
【００４１】
第４実施形態
本実施形態は、上述した第３実施形態の構成に、特徴データＰＤの暗号化および復号に関する構成を加えた実施形態である。
図１０は、本発明の第４実施形態に係わるデータ処理システム６１の構成図である。
図１０に示すように、データ処理システム６１は、例えば、撮像装置１０ａ、データ処理装置６２、データ処理装置４５および判定装置６８を有する。
データ処理装置６２は、特徴データ生成部１２、暗号化部６３および書き込み部４３を有する。
判定装置６８は、復号部６４および判定部６５を有する。
図１０において、図１と同じ符号を付した特徴データ生成部１２は第１実施形態で説明したものと同じである。
また、図１０において、図７と同じ符号を付した書き込み部４３、読み出し部４６、送信部４７は第３実施形態で説明したものと同じである。
また、判定部６５は、第１実施形態で説明した判定装置１５と同じである。
【００４２】
撮像装置１０ａおよびデータ処理装置６２は、撮像装置１０ａの製造者４が使用する。
撮像装置１０ａおよびデータ処理装置４５はユーザ２が使用する。
データ処理装置６８は、画像データの判定サービスを行うサービス提供者３が使用する。
【００４３】
暗号化部６３は、特徴データ生成部１２から入力した特徴データＰＤを、例えば、共通鍵データで暗号化して特徴データＰＤａを生成し、これを書き込み部４３に出力する。
復号部６４は、送信部４７から受信した特徴データＰＤａを、上記共通鍵データで復号して特徴データＰＤを生成し、これを判定部６５に出力する。
【００４４】
以下、図１０に示すデータ処理システム６１の動作例を説明する。
図１１は、図１０に示すデータ処理システム６１の動作例を説明するためのフローチャートである。
ステップＳＴ３１：
撮像装置１０ａの製造者４が、撮像装置１０ａの撮像結果に応じた画像データＳ１０をデータ処理装置６２に入力する。
そして、データ処理装置６２の特徴データ生成部１２は、画像データＳ１０から特徴データＰＤを生成し、これを暗号化部６３に出力する。
ステップＳＴ３２：
暗号化部６３は、ステップＳＴ３１で入力した特徴データＰＤを共通鍵データで暗号化して特徴データＰＤａを生成する。
ステップＳＴ３３：
書き込み部４３は、ステップＳＴ３２で生成した特徴データＰＤを、図８に示す撮像装置１０ａのメモリ５７に書き込む。
【００４５】
ステップＳＴ３４：
ユーザ２が、撮像装置１０ａを購入する。
ステップＳＴ３５：
ユーザ２が、撮像装置１０ａに所定のパスワードを入力し、これにより、認証部５８がユーザに正当権限があると認証する。
そして、データ処理装置４５の読み出し部４６が、撮像装置１０ａのメモリ５７から特徴データＰＤａを読み出して送信部４７に出力する。
送信部４７は、特徴データＰＤａを判定装置６８に送信する。
【００４６】
ステップＳＴ３６：
判定装置６８の復号部６４は、ステップＳＴ３５で受信した特徴データＰＤａを上記共通鍵データで復号して特徴データＰＤを生成する。
すなわち、本実施形態では、サービス提供者３と製造者４との間で共通鍵データを共用する。
ステップＳＴ３７：
判定装置６８の判定部６５は、ステップＳＴ３６で生成した特徴データＰＤと、所定の被判定画像データＳ１４との相関を検出する。
ステップＳＴ３８：
判定部６５は、ステップＳＴ３７で検出した相関が所定のレベル超えたか否かを判断し、所定のレベルを超えたと判断するとステップＳＴ３９に進み、そうでない場合にはステップＳＴ４０に進む。
ステップＳＴ３９：
判定部６５は、被判定画像データＳ１４が撮像装置１０ａの撮像結果を基に生成されたと判定する。
ステップＳＴ４０：
判定部６５は、被判定画像データＳ１４が撮像装置１０ａの撮像結果を基に生成されていないと判定する。
【００４７】
以上説明したように、データ処理システム６１によっても、第１実施形態と同様の効果が得られる。
また、データ処理システム６１によれば、特徴データＰＤを暗号化して撮像装置１０ａに記憶するため、特徴データＰＤが不正に利用されることを効果的に抑制でき、判定の信頼性を高めることができる。
【００４８】
本発明は上述した実施形態には限定されない。
上述した第４実施形態では、共通鍵データを用いて特徴データＰＤの暗号化および復号を行う場合を例示したが、暗号化部６３が製造者４の秘密鍵データを用いて特徴データＰＤを暗号化し、復号部６４が製造者４の公開鍵データを用いて特徴データＰＤａを復号してもよい。
また、図８に示す撮像装置１０ａのメモリ５７に、製造時に、特徴データＰＤの他に、撮像装置１０ａの識別データを書き換えできないように記憶してもよい。
当該識別データは、例えば、撮像装置１０ａの機種名と製造番号を組み合わせたデータである。
なお、識別データを暗号化してメモリ５７に記憶してもよい。
また、メモリ５７に、ユーザ２の氏名や住所などの個人データを記憶してもよい。これにより、ユーザ２は撮像装置１０ａの所有権を容易に証明できる。
【００４９】
また、上述した実施形態では、本発明の物体および被判定体として、デジタルスチルカメラやデジタルビデオカメラなどの撮像装置を例示したが、例えば、フィルム感度に製造時の固有のバラツキが生じ、それに応じた特徴データが記録データに生じる記録フィルムなどの記録媒体を本発明の物体および被判定体として用いてもよい。
また、紙などの繊維パターンにその材料に応じた固有の特徴が生じる場合に、そのような紙を用いた証明書などを本発明の物体および被判定体として用いてもよい。
この場合には、当該証明書についての上記特徴を示す特徴パターンを予め抽出して登録し、被判定体から抽出した特徴パターンと相関を検出することで、被検体が正当な証明書であるか否かを判定できる。
【産業上の利用可能性】
【００５０】
本発明は、所定の物体と被検体との関係を高い精度で判定するシステムに適用可能である。
【図面の簡単な説明】
【００５１】
【図１】図１は、本発明の第１実施形態のデータ処理システムの全体構成図である。
【図２】図２は、図１に示す撮像装置の受光素子の断面を模式的に示す図である。
【図３】図３は、図１に示す撮像装置で得られる画像データの周波数特性を説明するための図である。
【図４】図４は、図１に示すデータ処理システムの動作例を説明するためのフローチャートである。
【図５】図５は、本発明の第２実施形態のデータ処理システムの全体構成図である。
【図６】図６は、図５に示すデータ処理システムの動作例を説明するためのフローチャートである。
【図７】図７は、本発明の第３実施形態のデータ処理システムの全体構成図である。
【図８】図８は、図７に示す撮像装置の構成図である。
【図９】図９は、図７に示すデータ処理システムの動作例を説明するためのフローチャートである。
【図１０】図１０は、本発明の第４実施形態のデータ処理システムの全体構成図である。
【図１１】図１１は、図１０に示すデータ処理システムの動作例を説明するためのフローチャートである。
【図１２】図１２は、図１０に示すデータ処理システムの動作例を説明するための図１１の続きのフローチャートである。
【符号の説明】
【００５２】
１，３１，４１，６１…データ処理システム、１０，１０ａ…撮像装置、１１…データ処理装置、１２…特徴データ生成部、１３…送信部、１５…判定装置、３２…データ処理装置、４３…書き込み部、４６…読み出し部、４７…送信部、６２…データ処理装置、６３…暗号化部、６４…復号部、６５…判定部、６８…データ処理装置
【図１】
2005202764.tif 000003
【図２】
2005202764.tif 000004
【図３】
2005202764.tif 000005
【図４】
2005202764.tif 000006
【図５】
2005202764.tif 000007
【図６】
2005202764.tif 000008
【図７】
2005202764.tif 000009
【図８】
2005202764.tif 000010
【図９】
2005202764.tif 000011
【図１０】
2005202764.tif 000012
【図１１】
2005202764.tif 000013
【図１２】
2005202764.tif 000014